(57)【特許請求の範囲】
【請求項１】
ライブビュー画像を撮像する撮像手段と、
前記撮像手段により撮像されたライブビュー画像を表示する表示手段と、
光学像を接眼部に導くファインダ光学系と、
前記表示手段に表示されたライブビュー画像に基づく画像と前記光学像とを重畳させて前記接眼部に導く重畳手段と、
前記ライブビュー画像の表示遅れに伴う光学像との画像ずれを補正する補正手段と、
を備えた画像表示装置。
【請求項２】
前記補正手段は、装置本体の角速度を検出する角速度センサを備え、前記角速度センサにより検出された角速度に応じて、あらかじめ把握されている前記光学像とライブビュー画像との画像ずれを補正する請求項１に記載の画像表示装置。
【請求項３】
前記ファインダ光学系は、該ファインダ光学系の光軸を傾斜させる補正レンズを有し、前記補正手段は、前記補正レンズを制御して前記画像ずれを光学的に補正する請求項２に記載の画像表示装置。
【請求項４】
前記表示手段は、表示されるライブビュー画像をシフトさせるシフト手段を有し、前記補正手段は、前記シフト手段を制御して前記画像ずれを補正する請求項２に記載の画像表示装置。
【請求項５】
前記シフト手段は、前記表示手段に表示するライブビュー画像をシフトさせる請求項４に記載の画像表示装置。
【請求項６】
前記撮像手段は、撮影光学系と該撮影光学系を介して被写体像を受光し、被写体像を示すライブビュー画像を出力する撮像素子を有し、
前記シフト手段は、前記撮影光学系の手振れ補正レンズをシフト又は前記撮像素子をシフトさせる請求項４に記載の画像表示装置。
【請求項７】
前記画像表示装置は、前記撮像手段が、本撮影前にライブビュー画像を取得し、本撮影の状態にて記録媒体に記録する記録画像を取得する撮像装置である請求項１から６の何れか１項に記載の画像表示装置。
【請求項８】
前記撮像手段は、本撮影前にライブビュー画像を取得し、本撮影の状態にて記録媒体に記録する記録画像を取得する撮像装置であり、
前記補正手段は、撮影の状態にてパンニングを検出するパンニング検出手段を有し、前記パンニング検出手段によりパンニングが検出された期間中だけ、前記角速度センサにより検出された角速度に応じて、あらかじめ把握されている前記光学像と前記ライブビュー画像との画像ずれを補正する請求項２から６の何れか１項に記載の画像表示装置。
【請求項９】
前記ライブビュー画像に基づく画像は、ライブビュー画像に撮影に必要な情報を加味する請求項１から８の何れか１項に記載の画像表示装置。
【発明の詳細な説明】
【技術分野】
【０００１】
本発明は、画像表示装置に関し、特に光学式ビューファインダと電子式ビューファインダとを備えそれらが重畳可能な画像表示装置に関する。
【背景技術】
【０００２】
デジタルカメラ（撮像装置）の技術分野ではこれまで、撮影レンズ及び撮像素子等の撮影光学系により取得した被写体の電子像をカメラ本体の背面に設けた液晶モニタに表示して構図や合焦状態の確認を行うものが一般的であったが、近年、背面の液晶モニタとは別に構図や合焦状態確認のためのファインダを設けた機種が普及しつつある。このようなファインダの方式には光学式ビューファインダ（ＯＶＦ：Optical View Finder、以下ＯＶＦ）と電子式ビューファインダ（ＥＶＦ：Electronic View Finder、以下ＥＶＦ）とがあり、それぞれ長所・短所を有する。【０００３】
具体的にはＯＶＦでは「表示に応答遅れがない」、「表示画像が鮮明である」、「（方式により）撮影範囲外が見えることで構図を決めやすい」等、ＥＶＦに対し一定の優位性がある。一方ＥＶＦはＯＶＦに対し、「再生画像やメニューの表示（重畳表示を含む）が可能である」等、使用上の優位点がある。したがってＯＶＦとＥＶＦとの双方を備えるデジタルカメラ（撮像装置）においては、状況に応じて適宜ＯＶＦ・ＥＶＦを切り替えられるようにすることが好ましい。【０００４】
ファインダ方式を切り替えられるようにした撮像装置として、例えば特許文献１に記載の技術が知られている。特許文献１に記載の技術ではＯＶＦ（可動ミラーを光路に挿入してファインダ接眼部で被写体の光学像を視認）と、ライブビューモード（撮像素子で生成されたリアルタイムの画像を表示部に表示させるモード）が可能なＥＶＦ（可動ミラーを光路から対比させて、撮像素子で取得した被写体の電子像を液晶モニタで視認）とを切替可能なデジタル一眼レフカメラにおいて、ユーザによる各種操作に基づいてＯＶＦ・ＥＶＦの切替を行うようにしている。【０００５】
またファインダ方式を自動的に切り替えられるようにした撮像装置として、例えば特許文献２に記載の技術が知られている。特許文献２に記載の技術では、バッテリ残量や撮影シーン中の明暗差、被写体距離等の条件を判定する撮影条件判定手段を設け判定の結果に基づいてＯＶＦとＥＶＦとを自動的に切り替えるようにしている。
【先行技術文献】
【特許文献】
【０００６】
【特許文献１】特開２００９−３０３２５８号公報
【特許文献２】特開２００４−  ８５９３５号公報
【発明の概要】
【発明が解決しようとする課題】
【０００７】
しかしながら、ＯＶＦ・ＥＶＦを切り替えられる特許文献１，２のような画像表示装置において、ＯＶＦとＥＶＦとを重畳させてファインダ接眼部で被写体像を視認すると、ＯＶＦでの被写体像とＥＶＦでの被写体像とのずれが生じてしまうという問題があった。これは、ＥＶＦの表示手段により表示される被写体像の表示遅れに依るものであり、その時間差によりＯＶＦとＥＶＦの画像とで画像ずれが起き、目立ってしまうものである。特に、撮像装置をパンニングした際には、このずれが大きく、目立ってしまう。【０００８】
本発明はこのような事情に鑑みてなされたもので、光学式ビューファインダと電子式ビューファインダとを重畳させることができる画像表示装置において、ＯＶＦとＥＶＦの画像の重畳表示での画像ずれを軽減することができる画像表示装置を提供することを目的とする。
【課題を解決するための手段】
【０００９】
上記目的を達成するために、本発明の画像表示装置は、ライブビュー画像を撮像する撮像手段と、撮像手段により撮像されたライブビュー画像を表示する表示手段と、光学像を接眼部に導くファインダ光学系と、表示手段に表示されたライブビュー画像に基づく画像と光学像とを重畳させて接眼部に導く重畳手段と、ライブビュー画像の表示遅れに伴う光学像との画像ずれを補正する補正手段と、を備えている。なお、「ライブビュー画像」とは、撮影者がシャッタボタンを押して撮影・記録する前に、画角や被写体などを確認できるように、撮像素子から出力された画像を記録メディア等に記録せず（ＲＡＭへ一時記録）に、画像表示部に表示する画像をいうものである。【００１０】
本発明では、補正手段により、表示手段により表示された被写体像の表示遅れに伴う光学像とライブビュー画像との画像ずれを補正するようにした。即ち、ＥＶＦでの表示手段の被写体像の表示遅れ時間はあらかじめ把握できるものなので、この表示遅れ時間で画像ずれを補正するようにした。【００１１】
これにより、ＯＶＦとＥＶＦの画像の重畳表示での画像ずれを軽減することができる。【００１２】
上記発明において、補正手段は、装置本体の角速度を検出する角速度センサを備え、角速度センサにより検出された角速度に応じて、あらかじめ把握されている光学像とライブビュー画像との画像ずれを補正することが好ましい。【００１３】
画像表示装置には更に角速度センサを備えて、角速度センサにより検出された角速度とあらかじめ把握できている表示手段の表示遅れ時間に応じて補正させることで、好ましくＯＶＦとＥＶＦの画像の重畳表示での画像ずれを軽減することができる。【００１４】
上記発明において、ファインダ光学系は、ファインダ光学系の光軸を傾斜させる補正レンズを有し、補正手段は、補正レンズを制御して画像ずれを光学的に補正することが好ましい。【００１５】
または、上記発明において、表示手段は、表示されるライブビュー画像をシフトさせるシフト手段を有し、補正手段は、シフト手段を制御して画像ずれを補正することが好ましい。この場合、シフト手段は、表示手段に表示するライブビュー画像をシフトさせることが好ましい。または、撮像手段は、撮影光学系と撮影光学系を介して被写体像を受光し、被写体像を示すライブビュー画像を出力する撮像素子を有し、シフト手段は、撮影光学系の手振れ補正レンズをシフト又は撮像素子をシフトさせることが好ましい。【００１６】
画像表示装置は、撮像手段が、本撮影前にライブビュー画像を取得し、本撮影の状態にて記録媒体に記録する記録画像を取得する撮像装置であることが好ましい。【００１７】
上記発明において、ライブビュー画像に基づく画像は、ライブビュー画像に撮影に必要な情報を加味する。ライブビュー画像に基づく画像とは、一例として、顔枠、ＡＦ枠が挙げられる。【００１８】
上記発明において、補正手段は、本撮影の状態にてパンニングを検出するパンニング検出手段を有し、パンニング検出手段によりパンニングが検出された期間中だけ、角速度センサにより検出された角速度に応じて、あらかじめ把握されている光学像とライブビュー画像との画像ずれを補正することが好ましい。【００１９】
ＯＶＦとＥＶＦの画像の重畳表示での画像ずれは、パンニングの際が極めて大きい。したがって、パンニング検出手段によりパンニングが検出された期間中だけ画像ずれを補正してもよい。
【発明の効果】
【００２０】
本発明によれば、ＯＶＦとＥＶＦの画像の重畳表示での画像ずれを軽減することができる。
【図面の簡単な説明】
【００２１】
【図１】本発明に係る撮像装置の一実施態様を示すブロック図である。
【図２】本発明の実施態様を示す説明図である。
【図３】本発明に係る撮像装置の他の一実施態様を示す概略図である。
【図４】本発明に係る撮像装置の他の一実施態様を示す概略図である。
【図５】本発明に係る撮像装置の他の一実施態様を示す概略図である。
【図６】本発明に係る撮像装置の他の一実施態様を示すブロック図である。
【発明を実施するための形態】
【００２２】
以下、添付図面を参照しながら、本発明を実施するための形態を詳細に説明する。ここで、図中、同一の記号で示される部分は、同様の機能を有する同様の要素である。なお、以下、本発明を撮像装置について説明するが、当該撮像装置は本発明に係る画像表示装置の構成を全て備えているため、撮像装置だけでなく画像表示装置について本発明は成り立つ。
【００２３】
＜撮像装置の全体構成＞
本発明に係る撮像装置の全体構成について図面を参照して説明する。図１は、本発明に係る撮像装置の一実施形態を示すブロック図である。
【００２４】
図１に示すように、撮像装置１は、撮影した静止画や動画をメモリカード１０に記録するデジタルカメラであり、カメラ全体の動作は、中央処理装置（ＣＰＵ）１２によって統括制御されている。
【００２５】
撮像装置１の操作部１４は、電源スイッチ、シャッタボタン、光学ファインダモード、電子ビューファインダモード、光学-電子重畳ファインダモード、マクロモード、静止画撮影モード、動画撮影モード、再生モード、自動焦点調節（ＡＦモード）、手動焦点調節（ＭＦモード）等を切り替えるためのモード切替スイッチ、ズームやコマ送り等の各種の指令信号を出力するマルチファンクションの十字キー等を含む。この操作部１４からの各種の操作信号は、ＣＰＵ１２に加えられるようになっている。
【００２６】
撮影モードが設定されると、被写体を示す画像光は、手動操作により移動可能なフォーカスレンズ、撮像レンズを含む撮影光学系１６及び絞り１８を介して撮像素子（ＣＣＤ）２０の受光面に結像される。なお、撮像手段の一態様として、フォーカスレンズ、撮像レンズを含む撮像光学系１６、絞り、及び撮像素子（ＣＣＤ）が挙げられる。次いで、ＣＣＤ２０に蓄積された信号電荷は、ＣＣＤドライバ２２から加えられる転送パルスによって信号電荷に応じた電圧信号として順次読み出される。尚、ＣＣＤ２０は、シャッタゲートパルスのタイミングによって各フォトセンサの電荷蓄積時間（シャッタスピード）を制御する、いわゆる電子シャッタ機能を有している。
【００２７】
このＣＣＤ２０から順次読み出された電圧信号は、アナログ処理部２４に加えられる。アナログ処理部２４は、サンプリングホールド回路、色分離回路、ゲイン調整回路等の信号処理回路を含み、相関二重サンプリング（ＣＤＳ）処理並びにＲ，Ｇ，Ｂの各色信号に色分離処理され、各色信号の信号レベルの調整（プリホワイトバランス処理）が行われる。アナログ処理部２４から出力された信号は、Ａ／Ｄ変換器２６によりデジタル信号（以下「CCDRAWデータ」という）に変換された後、ＳＤＲＡＭなどの一時記憶装置２８に記憶される。
【００２８】
一時記憶装置２８は、複数枚分のCCDRAWデータを一時記憶可能な記憶容量を有している。尚、一時記憶装置２８の記憶容量はこれに限定されない。また、タイミングジェネレータ（ＴＧ）３０は、ＣＰＵ１２の指令に従ってＣＣＤドライバ２２、アナログ処理部２４及びＡ／Ｄ変換器２６に対してタイミング信号を与えており、このタイミング信号によって各回路の同期が取られている。
【００２９】
ＲＯＭ３２には、あらかじめプログラムや調整値などが記憶されており、これらのプログラムや調整値は適宜読み出される。
【００３０】
信号処理部３４は、Ｒ、Ｇ、Ｂ信号のゲインを調整してホワイトバランス（ＷＢ）補正を行うＷＢゲイン部と、ＷＢ補正された各Ｒ、Ｇ、Ｂ信号に対して所定のガンマ特性が記憶されたＲＯＭテーブルに従ってガンマ補正するガンマ補正部と、ＣＣＤ２０のカラーフィルタ配列に対応した色補間処理を行う色補間処理部と、輝度データＹ及び色差データＣｒ、Ｃｂの生成処理（ＹＣ変換）を行うＹＣ処理部と、輝度データＹにアパーチャ信号を付加して輪郭強調を行う輪郭強調部と、平滑化処理、メディアンフィルタ処理などのノイズ低減処理を行うノイズ低減処理部と、色差データＣｒ、Ｃｂのゲインを増減する彩度強調部とを有しており、一時記憶装置２８に記憶されたCCDRAWデータに対して各処理部で順次信号処理を行う。
【００３１】
信号処理部３４で処理された画像データは、ビデオエンコーダ３８においてエンコーディングされ、表示手段の一態様である表示装置である小型の液晶表示部（ＬＣＤ）４０に出力され、これにより被写体像がＬＣＤ４０の表示画面上に表示される。
【００３２】
尚、撮影準備段階では、ＣＣＤ２０により所定のインターバルで連続撮影された画像が、画像表示用の処理がされた後、ＬＣＤ４０に出力され、ライブビュー画像として表示される。
【００３３】
一方、シャッタボタンの全押し時には、撮影光学系１６及びＣＣＤ２０を介して撮影され、一時記憶装置２８に記憶されたCCDRAWデータは、信号処理部３４で各種の信号処理が施されてＹＣデータに変換され、その後、ＹＣデータは圧縮伸長処理部３６に出力され、JPEG（Joint Photographic Experts Group）などの所定の圧縮処理が実行される。そして、圧縮処理された圧縮データは、メディアコントローラ４２及びカードインタフェース４４を介してメモリカード１０に記録される。
【００３４】
自動露出（ＡＥ）検出部３７は、例えば、画像全体のＧ信号を積算し、又は画面中央部と周辺部とで異なる重み付けをしたＧ信号を積算し、その積算値をＣＰＵ１２に出力する。ＣＰＵ１２は、ＡＥ検出部３７から入力する積算値より被写体の明るさ（撮影Ｅｖ値）を算出し、この撮影Ｅｖ値に基づいて絞り１８のＦ値及びＣＣＤ２０の電子シャッタ（シャッタスピード）を所定のプログラム線図に従って決定し、その決定したＦ値に基づいて絞り１８を制御するとともに、決定したシャッタスピードに基づいてＣＣＤドライバ２２を介してＣＣＤ２０での電荷蓄積時間を制御する。
【００３５】
また、ピントずれ量算出部４６は、位相差画素を含むＣＣＤ２０の位相差画素から得られる視差画像のうちの所定のフォーカスエリア内の視差画像の位相差を検出し、この位相差を示す情報に基づいてピントずれ量（デフォーカス量）を求める。尚、位相差画素を含むＣＣＤ２０の代わりに、セパレータレンズ、該セパレータレンズにより分離した２つの像の結像位置を検出するセンサ等を含む公知の位相差センサ等の出力信号に基づいてピントずれ量を検出するようにしてもよい。
【００３６】
このピントずれ量算出部４６により算出されるピントずれ量は、ＡＦモード時にピントずれ量が０になるように撮影光学系１６のフォーカスレンズを制御するために使用することができるとともに、後述するようにＭＦモード時にＬＣＤ４０上のライブビュー画像の表示制御に使用される。
【００３７】
また、撮影光学系１６のフォーカスレンズ位置は、位置センサ４８により検出され、ＣＰＵ１２に送られる。ＣＰＵ１２は、位置センサ４８の検出出力に基づいて現在のフォーカスレンズの位置によりピントが合う被写体の距離を求める。尚、フォーカスレンズの位置とその位置に対応する被写体距離とはあらかじめＲＯＭ３２等に記憶されており、ＣＰＵ１２は、このＲＯＭ３２からフォーカスレンズの位置に対応する被写体距離を読み出す。また、被写体距離の測定は、基線長三角測距センサ等により行うようにしてもよい。このようにして測距された被写体距離は、ＡＦモード時に撮影光学系１６のフォーカスレンズを制御するために使用することができるとともに、後述するようにＭＦモード時にＬＣＤ４０上のライブビュー画像の表示制御に使用される。前記位置センサ４８は、撮影光学系１６の変倍レンズの位置（ズーム位置）も検出し、そのズーム位置の情報をＣＰＵ１２に出力する。
【００３８】
更に、この撮像装置１は、ファインダ光学系の一態様として、対物レンズ５０と、接眼レンズ５２と、液晶シャッタ６４とを有する光学ファインダ（ＯＶＦ）とを備えている。この液晶シャッタ６４は、ＣＰＵ１２によって制御され、光学ファインダを使用する場合には透過状態になる。これにより、被写体の光学像は、液晶シャッタ６４を透過し、対物レンズ５０を通して接眼レンズ５２により観察可能になる。
【００３９】
対物レンズ５０と接眼レンズ５２との間には、ビームスプリッタ５４が設けられており、このビームスプリッタ５４は、対物レンズ５０に入射する被写体の光学像と、ＬＣＤ４０に表示されるライブビュー画像とを合成する手段として使用される。即ち、対物レンズ５０に入射する光学像は、ビームスプリッタ５４を透過して接眼レンズ５２により観察することができ、また、ＬＣＤ４０に表示されるライブビュー画像は、ビームスプリッタ５４により直角に反射され接眼レンズ５２により観察することができる。
【００４０】
前記ＬＣＤ４０、ビームスプリッタ５４及び接眼レンズ５２によりライブビュー画像を観察することができる電子ビューファインダ（ＥＶＦ）が構成される。ここで、液晶シャッタ８２を遮光状態にすることにより、接眼レンズ５２からはＬＣＤ４０からの画像のみ観察可能にすることができる。また、重畳手段の一態様である液晶シャッタ８２を透過状態にすることにより、ＬＣＤ４０のライブビュー画像と対物レンズ５０を透過した光学像との重畳表示も可能になる。なお、本実施形態において、ＥＶＦのライブビュー画像には、ライブビュー画像に撮影に必要な情報が加味されたものも含まれる。撮影に必要な情報の一例としては、顔枠、ＡＦ枠が挙げられる。
【００４１】
即ち、この撮像装置１は、ＯＶＦの光学像表示、ＥＶＦの画像表示、ＯＶＦとＥＶＦの画像の重畳表示との切り替えを可能にするハイブリッドファインダを備えている。
【００４２】
撮影光学系１６の光軸とＯＶＦの光軸とは異なるため、所定のフォーカスエリアの光学像とライブビュー画像とは、そのフォーカスエリア内の被写体の距離に応じてパララックスが発生する。ＣＰＵ１２は、前記求めた被写体距離に応じて発生するパララックスを補正すべくＬＣＤ４０に表示させるライブビュー画像の表示位置を移動させる。これにより、フォーカスエリア内の光学像とライブビュー画像とが一致するように表示させることができる。
【００４３】
＜第１の実施形態＞  本発明の第１の実施形態について図面を参照して説明する。
【００４４】
図１に示すように、本発明に係る撮像装置１は、補正手段６０を備える。図２は、上記構成のハイブリッドファインダに表示されるファインダ像の一例を示す図であり、ＯＶＦの光学像を実線で示し、ＥＶＦのライブビュー画像を点線で示している。
【００４５】
ＯＶＦの光学像と撮影光学系によるＥＶＦのライブビュー画像とを重ねて表示するハイブリッドファインダでは、ＥＶＦのライブビュー画像は表示遅れが伴う。これは、ＥＶＦのライブビュー画像は、ＣＣＤ２０からアナログ処理部２４、Ａ／Ｄ変換器２６、一時記憶装置２８、信号処理部３４、ビデオエンコーダ３８を経て、ＬＣＤ４０の表示画面上に表示されるため、表示遅れが生じるものである。撮影者がＯＶＦで見ている被写体像と比べ、撮影光学系を通してＥＶＦに表示される被写体像は時間差ができてしまい、その時間差による画角ズレが必ず起こってしまう。
【００４６】
本実施形態では、図２のように、補正手段６０により表示手段４０により表示された被写体像の表示遅れに伴う光学像とライブビュー画像（ＥＶＦのライブビュー画像）との画像ずれを補正するようにした。
【００４７】
即ち、ＥＶＦでの表示手段の被写体像の表示遅れ時間はあらかじめ把握できるものなので、この表示遅れ時間で画像ずれを補正するようにした。
【００４８】
これにより、ＯＶＦとＥＶＦの画像の重畳表示での画像ずれを軽減することができる。
【００４９】
＜第２の実施形態＞
本発明の第２の実施形態について図面を参照して説明する。
【００５０】
図３〜図５に示すように、補正手段６０には角速度センサ６２を備えている。なお、図３〜図５は、図１のＥＶＦ光学系とＯＶＦ光学系との部分を抜粋して記載したものであり、図１において更に角速度センサ６２を備えたものである。角速度センサ６２で撮像装置本体の角速度を検出し、検出された角速度に応じて、あらかじめ把握されている光学像とライブビュー画像との画像ずれを補正することができる。
【００５１】
具体的には、図３のように、ＯＶＦ光学系９２で確認できる光学像の光軸をシフトさせてＥＶＦ光学系９０で確認される表示遅れのあるライブビュー画像の光軸に合わせることで光学像とライブビュー画像との画像ずれを補正する形態と、図４や図５のように、ＥＶＦ光学系９０で確認される表示遅れのあるライブビュー画像の光軸をシフトさせてＯＶＦ光学系９２で確認できる光学像の光軸に合わせることで光学像とライブビュー画像との画像ずれを補正する形態と、がある。
【００５２】
図３は、ＯＶＦ光学系９２に補正レンズ７０を備えている。ＥＶＦ光学系９０での表示手段の被写体像の表示遅れ時間はあらかじめ把握できている。そして、角速度センサ６２によりパンニングされた角度を把握し、ＯＶＦ光学系９２において角速度センサ６２で検知した分補正レンズ７０を撮影光学系１６の手振れ補正と同じ要領でシフトさせる。即ち、ＥＶＦ光学系９０で確認される表示遅れのあるライブビュー画像の遅れ時間分に合わせて、ＯＶＦ光学系９２で確認できる光学像を遅らせる。これにより、ＯＶＦとＥＶＦの画像の重畳表示での画像ずれを軽減することができる。
【００５３】
図４は、ＥＶＦ光学系９０にシフト手段７２を備えている。ＥＶＦ光学系９０での表示手段の被写体像の表示遅れ時間はあらかじめ把握できている。そして、角速度センサ６２によりパンニングされた角度を把握し、ＥＶＦ光学系９０において角速度センサ６２で検知した分シフト手段７２でＬＣＤ４０に表示させる被写体像をシフトさせる。即ち、ＯＶＦ光学系９２で確認できる光学像に合わせて、ＥＶＦ光学系９０のライブビュー画像の遅れ時間分早める。これにより、ＯＶＦとＥＶＦの画像の重畳表示での画像ずれを軽減することができる。
【００５４】
図５は、ＥＶＦ光学系９０の撮影光学系１６に補正レンズ７４を備えている。ＥＶＦ光学系９０での表示手段の被写体像の表示遅れ時間はあらかじめ把握できている。そして、角速度センサ６２によりパンニングされた角度を把握し、ＥＶＦ光学系９０の撮影光学系１６の補正レンズ７４において角速度センサ６２で検知した分シフトさせる。即ち、ＯＶＦ光学系９２で確認できる光学像に合わせて、ＥＶＦ光学系９０の撮影光学系１６の補正レンズ７４でライブビュー画像の遅れ時間分被写体像を早める。これにより、ＯＶＦとＥＶＦの画像の重畳表示での画像ずれを軽減することができる。なお、この撮影光学系１６に補正レンズ７４は、撮影光学系１６の手振れ補正機構が備えられている場合には、撮影光学系１６の手振れ補正機構をそのまま用いることができる。また、図示しないが、ＣＣＤ２０をシフトさせても良い。
【００５５】
＜第３の実施形態＞
図６は、上記第２の実施形態において、パンニング検出手段８０を備えたものである。パンニング検出手段８０は、撮影の状態にてパンニングを検出する。そして、パンニング検出手段８０によりパンニングが検出された期間中だけ、角速度センサ６２により検出された角速度に応じて、あらかじめ把握されている光学像とライブビュー画像との画像ずれを補正する。
【００５６】
ＯＶＦとＥＶＦの画像の重畳表示での画像ずれは、パンニングの際が極めて大きい。したがって、パンニング検出手段によりパンニングが検出された期間中だけ画像ずれを補正する。
【００５７】
［その他］
図１や図３〜６に示した撮像装置１は、ＯＶＦの光軸が撮影光学系の光軸と異なるものが適用されているが、ＯＶＦの光軸が撮影光学系と同一の光軸を有する一眼レフレックス式ファインダなどにも本発明は適用できるものもある。また、撮影装置以外の画像表示装置においても本発明は適用できる。
【００５８】
なお、本発明では、ＥＶＦの表示遅れ時間分の補正量を積算するために、表示遅れ時間分の角速度センサの値や補正量を一時記憶装置２８などに記憶する必要がある。また、被写体によってはＥＶＦ表示用画像（ライブビュー画像）作成のための撮影系での露光時間が延びる場合がある。その場合には、表示遅れ時間が変わってしまうため、撮影系の露光時間が変化するのに従い表示遅れ時間を変えて演算する必要がある。
【００５９】
本発明は、本明細書において説明した例や図面に図示された例には限定されず、本発明の要旨を逸脱しない範囲において、各種の設計変更や改良を行ってよいのはもちろんである。
【符号の説明】
【００６０】
１…撮像装置、１０…メモリカード、１２…中央処理装置（ＣＰＵ）、１４…操作部、１６…撮影光学系、１８…絞り、２０…撮像素子（ＣＣＤ）、３２…ＲＯＭ、３４…信号処理部、３７…ＡＥ検出部、４０…表示手段（ＬＣＤ）、４６…ピントずれ量算出部、５０…対物レンズ、５２…接眼レンズ、５４…ビームスプリッタ、６０…補正手段、６２…角速度センサ、６４…液晶シャッタ、７０…補正レンズ（シフト手段）、７２…シフト手段、７４…補正レンズ（シフト手段）、８０…パンニング検出手段
【図１】
0005643464.tif 000002
【図２】
0005643464.tif 000003
【図３】
0005643464.tif 000004
【図４】
0005643464.tif 000005
【図５】
0005643464.tif 000006
【図６】
0005643464.tif 000007